(57)【特許請求の範囲】
【請求項１】
液体の流路に接続されて当該液体を流通させ得る導入口及び導出口が形成されるとともに、その流通させた液体を採取可能な採取口が形成された透析液取出手段と、
該透析液取出手段に形成され、前記採取口の外周を覆う円筒状の外周壁部と、
該透析液取出手段の採取口に対して脱着可能とされ、当該採取口を開閉し得る開閉手段と、
該開閉手段に形成され、前記外周壁部の外周面又は突端面との間でシールするシール手段と、
を具備した透析液取出装置において、
前記採取口は、前記開閉手段が取り付けられて前記シール手段によるシールがなされた状態で、前記導入口から導入された液体を前記採取口の突端側に案内する案内路と、該案内路で案内された液体を前記導出口側へ排出させる排出路とを画成するものとされ、かつ、前記採取口の内部が前記案内路とされるとともに、当該採取口の外周面と前記外周壁部の内周面との間が前記排出路とされたことを特徴とする透析液取出装置。
【請求項２】
前記外周壁部は、前記採取口の突端を覆って突出して成ることを特徴とする請求項１記載の透析液取出装置。
【請求項３】
前記採取口は、採取した液体を流通させるための接続ラインが接続手段を介して接続可能とされるとともに、当該接続手段の内周面が前記採取口の外周面に嵌合しつつ当該接続手段の外周面が前記外周壁部の内周面に係止されて当該採取口に接続ラインが接続可能とされたことを特徴とする請求項１又は請求項２記載の透析液取出装置。
【請求項４】
前記接続手段が前記採取口に接続された状態において、前記排出路を介して液体が外部に流れるのを遮断することを特徴とする請求項３記載の透析液取出装置。
【請求項５】
前記透析液取出手段は、前記導入口から導入された液体のうち、前記案内路に向かって流れる液体の圧力を前記導出口に向かって流れる液体の圧力より大きくする圧力差形成手段を具備したことを特徴とする請求項１〜４の何れか１つに記載の透析液取出装置。
【請求項６】
前記圧力差形成手段と前記採取口とは一体部品から成ることを特徴とする請求項５記載の透析液取出装置。
【請求項７】
前記圧力差形成手段は、前記導入口から前記採取口に向かって流れる液体の流通路を有して成るとともに、当該流通路は、流路の径が採取口側に向かって次第に小さくなるテーパ面とされたことを特徴とする請求項５又は請求項６記載の透析液取出装置。
【請求項８】
前記圧力差形成手段は、前記導入口から前記導出口に向かう液体の流れを絞って圧力を低下させるためのオリフィス又はベンチュリー形状から成ることを特徴とする請求項５又は請求項６記載の透析液取出装置。
【請求項９】
前記透析液取出手段は、前記採取口からの液体の流出を許容するとともに当該採取口を介して外部からの液体の流入を遮断する逆止弁を具備したことを特徴とする請求項１〜８の何れか１つに記載の透析液取出装置。
【請求項１０】
前記導入口及び前記採取口は、略同一直線上に形成されて成ることを特徴とする請求項１〜９の何れか１つに記載の透析液取出装置。
【請求項１１】
請求項１〜１０の何れか１つに記載の透析液取出装置を具備したことを特徴とする血液浄化装置。
【発明の詳細な説明】
【技術分野】
【０００１】
本発明は、液体の流路に接続されて当該液体を流通させ得る導入口及び導出口が形成されるとともに、その流通させた液体を採取可能な採取口が形成された透析液取出手段と、透析液取出手段の採取口に対して脱着可能とされ、当該採取口を開閉し得る開閉手段とを具備した透析液取出装置に関するものである。
【背景技術】
【０００２】
近時において、血液浄化装置としての透析装置では透析治療（特に、オンラインＨＤＦ又はオンラインＨＦ）時においてダイアライザに供給するための透析液を用いてプライミング、返血及び補液（緊急補液）を行う技術や、当該透析液をオンラインＨＤＦやオンラインＨＦの治療のための置換液として利用する技術が提案されるに至っている。例えば、特許文献１には、一端が透析液導入ラインの所定部位に形成された透析液取出ポート（採取口）に接続されるとともに、他端が血液回路（動脈側血液回路又は静脈側血液回路）に接続された補液ラインと、補液ラインに配設された補液ポンプとを具備した透析装置が開示されている。かかる透析装置により、プライミング、返血又は補液（緊急補液）を行うには、補液ポンプを駆動させることにより、透析液導入ラインの透析液を血液回路（動脈側血液回路又は静脈側血液回路）に供給するようになっている。
【０００３】
通常、かかる透析液取出ポートに対してキャップ（開閉手段）が脱着自在とされており、当該キャップを取り外して補液ライン等を接続させるとともに、補液ライン等を接続しない場合は、キャップを取り付けて透析液導入ラインを流れる透析液が外部に漏れ出ないようになっている。例えば、透析液導入ラインや透析液排出ライン等の透析液が流通する配管を洗浄及び消毒するには、採取口にキャップを取り付けた状態として当該配管にて洗浄水や消毒水を流通させることにより、洗浄水や消毒液が外部に漏れ出てしまうのを防止している。
【０００４】
しかるに、キャップが採取口の内周面に対して密着してシールするものの場合、そのシール部分に対して洗浄水や消毒液が流通せず、洗浄及び消毒が不十分になってしまう虞があった。そこで、従来より、キャップが採取口の外周面に対してシールするものとし、当該採取口の内周面に洗浄水や消毒液を至らせるよう構成されたものが提案されている（例えば特許文献２、３参照）。これにより、キャップから洗浄水又は消毒液を流通させるための流路を延設させれば、採取口の内部を当該洗浄水や消毒液が流通することとなり、十分な洗浄及び消毒を図ることができる。
【先行技術文献】
【特許文献】
【０００５】
【特許文献１】特開２００４−３１３５２２号公報
【特許文献２】特開２００３−９３５０１号公報
【特許文献３】特開２００９−２０７７０６号公報
【発明の概要】
【発明が解決しようとする課題】
【０００６】
しかしながら、上記従来の透析液取出装置においては、キャップ（開閉手段）から洗浄水又は消毒液を流通させるための流路を延設しなければ、洗浄水や消毒液を採取口内部に至らせることが困難であるという問題があった。すなわち、単に採取口の外周面に対してシールするキャップを採用したとしても、採取口内部に単一の閉空間が形成されるのみであるため、透析液導入ラインを流れる液体が当該採取口の内部まで流通することはほとんどなく、流通させるためには、キャップから延設された別個の流路が必要とされるのである。別個の流路を延設させる場合は、その流路の取り回しが新たに必要となる他、保守管理が煩わしいという問題がある。
【０００７】
本発明は、このような事情に鑑みてなされたもので、開閉手段から別個の流路を延設させることなく、採取口内部の洗浄及び消毒を確実に行わせることができる透析液取出装置を提供することにある。
【課題を解決するための手段】
【０００８】
請求項１記載の発明は、液体の流路に接続されて当該液体を流通させ得る導入口及び導出口が形成されるとともに、その流通させた液体を採取可能な採取口が形成された透析液取出手段と、該透析液取出手段に形成され、前記採取口の外周を覆う円筒状の外周壁部と、該透析液取出手段の採取口に対して脱着可能とされ、当該採取口を開閉し得る開閉手段と、該開閉手段に形成され、前記外周壁部の外周面又は突端面との間でシールするシール手段とを具備した透析液取出装置において、前記採取口は、前記開閉手段が取り付けられて前記シール手段によるシールがなされた状態で、前記導入口から導入された液体を前記採取口の突端側に案内する案内路と、該案内路で案内された液体を前記導出口側へ排出させる排出路とを画成するものとされ、かつ、前記採取口の内部が前記案内路とされるとともに、当該採取口の外周面と前記外周壁部の内周面との間が前記排出路とされたことを特徴とする。
【００１１】
請求項２記載の発明は、請求項１記載の透析液取出装置において、前記外周壁部は、前記採取口の突端を覆って突出して成ることを特徴とする。
【００１２】
請求項３記載の発明は、請求項１又は請求項２記載の透析液取出装置において、前記採取口は、採取した液体を流通させるための接続ラインが接続手段を介して接続可能とされるとともに、当該接続手段の内周面が前記採取口の外周面に嵌合しつつ当該接続手段の外周面が前記外周壁部の内周面に係止されて当該採取口に接続ラインが接続可能とされたことを特徴とする。
【００１３】
請求項４記載の発明は、請求項３記載の透析液取出装置において、前記接続手段が前記採取口に接続された状態において、前記排出路を介して液体が外部に流れるのを遮断することを特徴とする。
【００１４】
請求項５記載の発明は、請求項１〜４の何れか１つに記載の透析液取出装置において、前記透析液取出手段は、前記導入口から導入された液体のうち、前記案内路に向かって流れる液体の圧力を前記導出口に向かって流れる液体の圧力より大きくする圧力差形成手段を具備したことを特徴とする。
【００１５】
請求項６記載の発明は、請求項５記載の透析液取出装置において、前記圧力差形成手段と前記採取口とは一体部品から成ることを特徴とする。
【００１６】
請求項７記載の発明は、請求項５又は請求項６記載の透析液取出装置において、前記圧力差形成手段は、前記導入口から前記採取口に向かって流れる液体の流通路を有して成るとともに、当該流通路は、流路の径が採取口側に向かって次第に小さくなるテーパ面とされたことを特徴とする。
【００１７】
請求項８記載の発明は、請求項５又は請求項６記載の透析液取出装置において、前記圧力差形成手段は、前記導入口から前記導出口に向かう液体の流れを絞って圧力を低下させるためのオリフィス又はベンチュリー形状から成ることを特徴とする。
【００１８】
請求項９記載の発明は、請求項１〜８の何れか１つに記載の透析液取出装置において、前記透析液取出手段は、前記採取口からの液体の流出を許容するとともに当該採取口を介して外部からの液体の流入を遮断する逆止弁を具備したことを特徴とする。
【００１９】
請求項１０記載の発明は、請求項１〜９の何れか１つに記載の透析液取出装置において、前記導入口及び前記採取口は、略同一直線上に形成されて成ることを特徴とする。
【００２０】
請求項１１記載の発明は、請求項１〜１０の何れか１つに記載の透析液取出装置を具備したことを特徴とする血液浄化装置である。
【発明の効果】
【００２１】
請求項１の発明によれば、採取口は、開閉手段が取り付けられた状態で、導入口から導入された液体を前記採取口の突端側に案内する案内路と、該案内路で案内された液体を前記導出口側へ排出させる排出路とを画成するので、案内路及び排出路を介して洗浄水又は消毒液を流通させることができ、開閉手段から別個の流路を延設させることなく、採取口内部の洗浄及び消毒を確実に行わせることができる。さらに、採取口が液体を採取させる機能に加えて案内路と排出路とを画成する機能を兼ね備えるため、別個の画成手段等を不要として構成を簡略化させることができる。
【００２２】
また、透析液取出手段は、採取口の外周を覆う円筒状の外周壁部を有するとともに、開閉手段は、当該外周壁部の外周面又は突端面との間でシールするシール手段を具備したので、開閉手段を採取口に取り付けた状態で、案内路と排出路との画成をより確実に行わせることができるとともに、洗浄水又は消毒液の流通をより良好に行わせることができる。
【００２３】
またさらに、採取口の内部が案内路とされるとともに、当該採取口の外周面と外周壁部の内周面との間が排出路とされたので、案内路及び排出路を介して洗浄水又は消毒液をより円滑且つ良好に流通させることができる。
【００２４】
請求項２の発明によれば、外周壁部は、採取口の突端を覆って突出して成るので、開閉手段が採取口から外された状態においても当該採取口に人の指が触れてしまうのを回避させることができ、衛生管理をより確実に図ることができる。
【００２５】
請求項３の発明によれば、接続手段の内周面が採取口の外周面に嵌合しつつ当該接続手段の外周面が外周壁部の内周面に係止されて当該採取口に接続ラインが接続可能とされたので、接続手段の採取口に対する接続面がその内周面となり、接続前の状態において採取口に対する接続面に人の指が触れてしまうのを回避させることができ、衛生管理をより確実に図ることができる。
【００２６】
請求項４の発明によれば、接続手段が採取口に接続された状態において、排出路を介して液体が外部に流れるのを遮断するので、採取口から接続手段を介して液体を採取する際、排出路から液体が外部に漏れてしまうのを確実に回避させることができ、採取した液体を接続ラインに対してより良好に流通させることができる。
【００２７】
請求項５の発明によれば、透析液取出手段は、導入口から導入された液体のうち、案内路に向かって流れる液体の圧力を導出口に向かって流れる液体の圧力より大きくする圧力差形成手段を具備したので、当該圧力差形成手段で生じた圧力差によって、案内路及び排出路に対してより確実に洗浄水又は消毒液を流通させることができる。
【００２８】
請求項６の発明によれば、圧力差形成手段と採取口とは一体部品から成るので、透析液取出手段における部品点数を削減することができ、製造コストやメンテナンスコストを低減させることができる。
【００２９】
請求項７の発明によれば、圧力差形成手段は、導入口から採取口に向かって流れる液体の流通路を有して成るとともに、当該流通路は、流路の径が採取口側に向かって次第に小さくなるテーパ面とされたので、導入口から案内路に向かって流れる液体の圧力を導入口から排出口に向かって流れる液体の圧力に対して相対的に大きくすることができ、当該案内路及び排出路に対して確実な洗浄水又は消毒液の流通を図ることができる。
【００３０】
請求項８の発明によれば、圧力差形成手段は、導入口から導出口に向かう液体の流れを絞って圧力を低下させるためのオリフィス又はベンチュリー形状から成るので、導入口から導出口に向かって流れる液体の圧力を導入口から採取口に向かって流れる液体の圧力に対して相対的に小さくすることができ、当該案内路及び排出路に対して確実な洗浄水又は消毒液の流通を図ることができる。
【００３１】
請求項９の発明によれば、透析液取出手段は、採取口からの液体の流出を許容するとともに当該採取口を介して外部からの液体の流入を遮断する逆止弁を具備したので、例えば接続ライン等を採取口に接続した際、当該接続ライン等の流路内の液体が採取口から流入してしまうのを回避することができる。
【００３２】
請求項１０の発明によれば、導入口及び前記採取口は、略同一直線上に形成されて成るので、導入口から導入された液体が採取口に向かってそのまま流れることとなり、より確実且つ良好に案内路及び排出路を介して洗浄水又は消毒液を流通させることができ、採取口内部の洗浄及び消毒を一層確実に行わせることができる。
【００３３】
請求項１１の発明によれば、案内路及び排出路を介して洗浄水又は消毒液を流通させることができ、開閉手段から別個の流路を延設させることなく、採取口内部の洗浄及び消毒を確実に行わせることができる血液浄化装置を提供することができる。さらに、採取口が液体を採取させる機能に加えて案内路と排出路とを画成する機能を兼ね備えるため、別個の画成手段等を不要として構成を簡略化させることができる血液浄化装置を提供することができる。
【図面の簡単な説明】
【００３４】
【図１】本発明の透析液取出装置が適用される血液浄化装置を示す模式図
【図２】本発明の第１の実施形態に係る透析液取出装置（採取口に開閉手段を取り付けた状態）を示す断面模式図
【図３】同透析液取出装置におけるキャップ（開閉手段）を示す断面模式図
【図４】同透析液取出装置における透析液取出手段（開閉手段を取り外した状態）を示す断面模式図
【図５】同透析液取出装置の採取口に接続可能な接続手段を示す断面模式図
【図６】同透析液取出装置における透析液取出手段（開閉手段を取り外した状態、且つ、接続手段を接続させた状態）を示す断面模式図
【図７】本発明の第２の実施形態に係る透析液取出装置（採取口に開閉手段を取り付けた状態）を示す断面模式図
【図８】同透析液取出装置の採取口に接続可能な接続手段を示す断面模式図
【図９】同透析液取出装置における透析液取出手段（開閉手段を取り外した状態、且つ、接続手段を接続させた状態）を示す断面模式図
【図１０】本発明の第３の実施形態に係る透析液取出装置（採取口に開閉手段を取り付けた状態）を示す断面模式図
【図１１】本発明の第４の実施形態に係る透析液取出装置（採取口に開閉手段を取り付けた状態）を示す断面模式図
【図１２】本発明の第５の実施形態に係る透析液取出装置（採取口に開閉手段を取り付けた状態）を示す断面模式図
【図１３】同透析液取出装置における透析液取出手段（開閉手段を取り外した状態、且つ、接続手段を接続させた状態）を示す断面模式図
【図１４】本発明の第６の実施形態に係る透析液取出装置（採取口に開閉手段を取り付けた状態）を示す断面模式図
【図１５】同透析液取出装置の採取口から開閉手段を取り外した後、シャフト部材２９を中心に回転させた状態を示す断面模式図
【図１６】同透析液取出装置の採取口から開閉手段を取り外し、シャフト部材２９を中心に回転させた後、シャフト部材３１を中心に回転させた状態を示す断面模式図
【図１７】本発明の第７の実施形態に係る透析液取出装置（採取口に開閉手段を取り付けた状態）を示す断面模式図
【図１８】同透析液取出装置の採取口から開閉手段を取り外した後、シャフト部材２９を中心に回転させた状態を示す断面模式図
【発明を実施するための形態】
【００３５】
以下、本発明の実施形態について図面を参照しながら具体的に説明する。
本実施形態に係る透析液取出装置は、血液浄化治療（血液透析治療）で使用される血液浄化装置に配設され、透析液を採取可能とされたものである。適用される血液浄化装置は、図１に示すように、ダイアライザ１（血液浄化器）に動脈側血液回路２及び静脈側血液回路３が接続された血液回路と、透析液導入ラインＬ１及び透析液排出ラインＬ２を有した透析装置本体Ｂとから主に構成されている。
【００３６】
ダイアライザ１は、血液を浄化するためのもので、血液回路を構成する動脈側血液回路２及び静脈側血液回路３とそれぞれ接続されるとともに、透析液導入ラインＬ１及び透析液排出ラインＬ２とそれぞれ接続されており、動脈側穿刺針ａから採取された患者の血液を血液回路にて体外循環させ、ダイアライザ１にて血液浄化及び除水した後、静脈側穿刺針ｂから患者に戻すようになっている。なお、図中符号５、６は、エアトラップチャンバを示している。
【００３７】
また、透析液導入ラインＬ１及び透析液排出ラインＬ２には、所定濃度に調製された透析液をダイアライザ１に供給し、当該ダイアライザ１から排出させる複式ポンプ７が接続されている。さらに、透析装置本体Ｂ内には、バイパスラインや電磁弁が任意位置に複数配設されており、複式ポンプ７をバイパスさせるバイパスラインには、除水ポンプ８が接続されている。
【００３８】
そして、透析装置本体Ｂ内の配管を消毒又は洗浄するには、透析液導入ラインＬ１及び透析液排出ラインＬ２の先端をダイアライザ１から取り外し、例えばカプラ等により当該先端同士を互いに接続して配管を短絡させた後、透析装置本体Ｂの外部（例えば透析液供給装置等）から消毒液（熱湯や消毒薬液）又は洗浄水（清浄水）を導入して当該透析装置本体Ｂにおける配管内の液体（透析液等）と置換することにより行われる。なお、例えば透析液排出ラインＬ２から流路を分岐させ、その先端を消毒液等が収容されたタンクに挿入させることにより、当該タンク内から消毒液等を配管内に導入して置換させるようにしてもよい。
【００３９】
ここで、透析液導入ラインＬ１には、本発明の第１の実施形態に係る透析液取出装置が接続されている。本実施形態に係る透析液取出装置は、図２〜６に示すように、透析液導入ラインＬ１（液体の流路）に接続されて当該液体（透析液）を流通させ得る導入口９ａ及び導出口９ｂが形成されるとともに、その流通させた液体を採取可能な採取口１２が形成された透析液取出手段９と、該透析液取出手段９の採取口１２に対して脱着可能とされ、当該採取口１２を開閉し得る開閉手段としてのキャップ１０とを具備したものである。
【００４０】
より具体的には、透析液取出手段９は、その導入口９ａ及び導出口９ｂのそれぞれに透析液導入ラインＬ１が接続され、内部に透析液を流通可能とされたもので、その流路（導入口９ａから導出口９ｂに向かって透析液が流れる流路）は、分岐部Ｐで略９０度折れ曲がってＬ字状に延設されているとともに、採取口１２は、導入口９ａに対して略同一直線上に位置するよう形成されている。
【００４１】
さらに、透析液取出手段９は、採取口１２の外周を覆う円筒状の外周壁部１３を有している。かかる外周壁部１３は、その外周面に、キャップ１０（開閉手段）のネジ部１０ａと螺合し得るネジ部１３ａが形成されているとともに、内周面に、接続手段１５のネジ部１５ｂａ（図５、６参照）と螺合し得るネジ部１３ｂがそれぞれ形成されている。すなわち、外周壁部１３に接続手段１５を係止して固定させることにより、採取口１２が接続手段１５を介して接続ラインＬ３と接続可能とされているのである。
【００４２】
さらに、本実施形態に係る外周壁部１３は、採取口１２の突端１２ａを覆って突出して成るものとされている。すなわち、外周壁部１３の突出寸法は、採取口１２の突出寸法より大きく設定されていることから、外周壁部１３にて採取口１２の突端１２ａを覆った状態とされているのである。これにより、キャップ１０が採取口１２から外された状態においても当該採取口１２に人の指が触れてしまうのを回避させることができ、衛生管理をより確実に図ることができる。
【００４３】
接続手段１５は、図５に示すように、採取口１２から採取した液体を流通させるための接続ラインＬ３の先端部に取り付けられ、内周面１５ａ及び外周面１５ｂを有した円略筒状部材から成るものである。この外周面１５ｂの先端側（採取口１２との接続部位側）には、外周壁部１３のネジ部１３ｂと螺合し得るネジ部１５ｂａが一体形成されている。しかして、図６に示すように、接続手段１５の内周面１５ａが採取口１２の外周面に嵌合しつつ当該接続手段１５の外周面１５ｂのネジ部１５ｂａが外周壁部１３の内周面に形成されたネジ部１３ｂと螺合することにより係止されて当該採取口１２に接続ラインＬ３が接続可能とされている。
【００４４】
なお、本実施形態に係る接続ラインＬ３は、例えば動脈側血液回路２に接続されたエアトラップチャンバ５又は静脈側血液回路３に接続されたエアトラップチャンバ６に接続され、透析液導入ラインＬ１中の透析液を動脈側血液回路２又は静脈側血液回路３に供給し得るものとされている。これにより、透析液を使用してプライミング、補液又は返血等を行わせることができ、或いは当該透析液をオンラインＨＤＦやオンラインＨＦの治療のための置換液として利用することができる。
【００４５】
このように、接続手段１５の内周面１５ａが採取口１２の外周面に嵌合しつつ当該接続手段１５の外周面１５ｂが外周壁部１３の内周面に係止されて当該採取口１２に接続ラインＬ３が接続可能とされたので、接続手段１５の採取口１２に対する接続面がその内周面（接続手段１５の内部）となることから、その接続面に人の指が触れてしまうのを回避させることができ、衛生管理をより確実に図ることができる。
【００４６】
開閉手段としてのキャップ１０は、その内周面に形成されたネジ部１０ａを外周壁部１３のネジ部１３ａに対して螺合させることにより当該外周壁部１３に取り付け可能とされたものである。本実施形態に係るキャップ１０は、図３に示すように、外周壁部１３の突端面１３ｃとの間でシールするシール手段１１を具備している。かかるシール手段１１は、取付部材Ｄの一面に取り付けられるとともに、スプリングＳ１によって当該取付部材Ｄと共に常時外周壁部１３の突端面１３ｃ側（採取口１２側）に付勢されており、より確実なシールを図り得るようになっている。
【００４７】
ここで、本実施形態に係る透析液取出手段９の採取口１２は、キャップ１０が取り付けられた状態で、導入口９ａから導入された液体を採取口１２内に案内する案内路αと、該案内路αで案内された液体を導出口９ｂ側へ排出させる排出路βとを画成するよう構成されている。すなわち、キャップ１０が外周壁部１３に螺合して取り付けられると、シール手段１１にて当該外周壁部１３の突端面１３ｃがシールされて密閉空間が形成されるとともに、その密閉空間が採取口１２にて案内路αと排出路βとに画成されるのである。しかして、採取口１２の内部が案内路αとされるとともに、当該採取口１２の外周面と外周壁部１３の内周面との間が排出路βとされることとなる。
【００４８】
このように、本実施形態に係る採取口１２は、接続手段１５等が接続されて液体を採取させる機能を有するとともに、キャップ１０が取り付けられた状態においては、案内路αと排出路βとを画成する機能を兼ね備えているのである。なお、本実施形態においては、採取口１２が円筒状部材で構成されているが、案内路αと排出路βとを画成し得る筒状の部材であれば他の形状（例えば断面が矩形形状のもの等）のものであってもよい。
【００４９】
一方、透析液取出手段９には、排出路βと分岐部Ｐ側の流路とを連結させるための連結路γが形成されている。これにより、導入口９ａから分岐部Ｐ及び案内路αを介して採取口１２先端に向かって流れた液体は、排出路β及び連結路γを通って排出口９ｂから排出され、導入口９ａから分岐部Ｐを介して導出口９ｂに向かって流れる液体と合流して当該導出口９ｂから流出し得るようになっている。
【００５０】
さらに、本実施形態に係る透析液取出手段９は、導入口９ａから導入された液体のうち、案内路αに向かって流れる液体の圧力を導出口９ｂに向かって流れる液体の圧力より大きくする圧力差形成手段１４を具備している。かかる圧力差形成手段１４は、透析液取出手段９の分岐部Ｐ近傍に配設され、導入口９ａから採取口１２に向かって流れる液体の流通路１４ａを有して成るとともに、当該流通路１４ａは、流路の径が採取口１２側（図２中右側）に向かって次第に小さくなるテーパ面とされている。これにより、導入口９ａから採取口１２に向かって流れる液体の圧力を導入口９ａから排出口９ｂに向かって流れる液体の圧力に対して相対的に大きくすることができる。
【００５１】
また、本実施形態に係る圧力差形成手段１４と採取口１２とは、一体部品（例えば、一体成形部品）から成るものとされている。このように、圧力差形成手段１４と採取口１２とが一体部品から成るものとすれば、透析液取出手段９における部品点数を削減することができ、製造コストやメンテナンスコストを低減させることができる。なお、圧力差形成手段１４と採取口１２とを別個形成し、それらを連結させて一体部品としてもよい。
【００５２】
さらに、圧力差形成手段１４におけるシール部材９ｃと対向した部位には、被シール部１４ｂが形成されているとともに、圧力差形成手段１４及び採取口１２は、スプリングＳ２により、シール部材９ｃに対して被シール部１４ｂが離間する方向に常時付勢されている。そして、接続手段１５が採取口１２に接続される際（すなわち、接続手段１５の外周面１５ｂのネジ部１５ｂａが外周壁部１３の内周面に形成されたネジ部１３ｂと螺合する過程で）、圧力差形成手段１４及び採取口１２がスプリングＳ２の付勢力に抗して移動し、シール部材９ｃに対して被シール部１４ｂが当接してシールすることにより、連結路γを遮蔽し得るようになっている。
【００５３】
しかして、接続手段１５が採取口１２に接続された状態において、排出路βを介して液体が外部に流れるのを遮断することとなる。このように、接続手段１５が採取口１２に接続された状態において、排出路βを介して液体が外部に流れるのを遮断するので、採取口１２から接続手段１５を介して液体を採取する際、排出路βから液体が外部に漏れてしまうのを確実に回避させることができ、採取した液体を接続ラインＬ３に対してより良好に流通させることができる。
【００５４】
上記第１の実施形態によれば、採取口１２は、キャップ１０（開閉手段）が取り付けられた状態で、導入口９ａから導入された液体を採取口１２の突端１２ａ側に案内する案内路αと、該案内路αで案内された液体を導出口９ｂ側へ排出させる排出路βとを画成するので、案内路α及び排出路βを介して洗浄水又は消毒液を流通させることができ、キャップ１０から別個の流路を延設させることなく、採取口１２内部の洗浄及び消毒を確実に行わせることができる。さらに、採取口１２が液体を採取させる機能に加えて案内路αと排出路βとを画成する機能を兼ね備えるため、別個の画成手段等を不要として構成を簡略化させることができる。
【００５５】
また、透析液取出手段９は、採取口１２の外周を覆う円筒状の外周壁部１３を有するとともに、キャップ１０は、当該外周壁部１３の突端面１３ｃとの間でシールするシール手段１１を具備したので、キャップ１０を採取口１２に取り付けた状態で、案内路αと排出路βとの画成をより確実に行わせることができるとともに、洗浄水又は消毒液の流通をより良好に行わせることができる。
【００５６】
さらに、採取口１２の内部が案内路αとされるとともに、当該採取口１２の外周面と外周壁部１３の内周面との間が排出路βとされたので、案内路α及び排出路βを介して洗浄水又は消毒液をより円滑且つ良好に流通させることができる。またさらに、透析液取出手段９は、導入口９ａから導入された液体のうち、案内路αに向かって流れる液体の圧力を導出口９ｂに向かって流れる液体の圧力より大きくする圧力差形成手段１４を具備したので、当該圧力差形成手段１４で生じた圧力差によって、案内路α及び排出路βに対してより確実に洗浄水又は消毒液を流通させることができる。
【００５７】
また、圧力差形成手段１４は、導入口９ａから採取口１２に向かって流れる液体の流通路１４ａを有して成るとともに、当該流通路１４ａは、流路の径が採取口１２側に向かって次第に小さくなるテーパ面とされたので、導入口９ａから案内路αに向かって流れる液体の圧力を導入口９ａから排出口９ｂに向かって流れる液体の圧力に対して相対的に大きくすることができ、当該案内路α及び排出路βに対して確実な洗浄水又は消毒液の流通を図ることができる。
【００５８】
加えて、本実施形態によれば、導入口９ａ及び採取口１２は、略同一直線上に形成されて成るので、導入口９ａから導入された液体が採取口１２に向かってそのまま流れることとなり、より確実且つ良好に案内路α及び排出路βを介して洗浄水又は消毒液を流通させることができ、採取口１２内部の洗浄及び消毒を一層確実に行わせることができる。
【００５９】
次に、本発明の第２の実施形態に係る透析液取出装置について説明する。
本実施形態に係る透析液取出装置は、第１の実施形態と同様、図１で示す如き血液浄化装置の透析液導入ラインＬ１に接続されたもので、図７〜９に示すように、透析液導入ラインＬ１（液体の流路）に接続されて当該液体（透析液）を流通させ得る導入口９ａ及び導出口９ｂが形成されるとともに、その流通させた液体を採取可能な採取口１２が形成された透析液取出手段９と、該透析液取出手段９の採取口１２に対して脱着可能とされ、当該採取口１２を開閉し得る開閉手段としてのキャップ１０とを具備したものである。なお、第１の実施形態と同様の構成部品には、同一の符号を付し、それらの詳細な説明を省略する。
【００６０】
圧力差形成手段１４及び採取口１２は、第１の実施形態と同様、一体部品（例えば、一体成形部品）から成るものとされているものの、第１の実施形態と異なり、透析液取出手段９内において固定されている。すなわち、本実施形態においては、採取口１２と接続手段１６（図８参照）とは、シール部１７によりシールされ、連結路γの液体の流通は許容されないのである。
【００６１】
接続手段１６は、図８に示すように、採取口１２から採取した液体を流通させるための接続ラインＬ３の先端部に取り付けられ、内周面１６ａ及び外周面１６ｂを有した円略筒状部材から成るものである。この外周面１６ｂの先端側（採取口１２との接続部位側）には、外周壁部１３のネジ部１３ｂと螺合し得るネジ部１６ｂａが一体形成されている。しかして、図９に示すように、接続手段１６の内周面１６ａが採取口１２の外周面に嵌合しつつ当該接続手段１６の外周面１６ｂのネジ部１６ｂａが外周壁部１３の内周面に形成されたネジ部１３ｂと螺合することにより係止されて当該採取口１２に接続ラインＬ３が接続可能とされている。
【００６２】
ここで、本実施形態に係る接続手段１６は、その外周面１６ｂにＯリング等から成るシール部材１７が取り付けられている。かかるシール部材１７は、接続手段１６が採取口１２に接続された状態において、図９に示すように、外周壁部１３の内周面１３ｄと当接してシールし得るものとされており、これにより、接続手段１６が採取口１２に接続された状態において、排出路βを介して液体が外部に流れるのを遮断することができるようになっている。
【００６３】
本実施形態によれば、接続手段１６が採取口１２に接続された状態において、排出路βを介して液体が外部に流れるのを遮断するので、採取口１２から接続手段１６を介して液体を採取する際、排出路βから液体が外部に漏れてしまうのを確実に回避させることができ、採取した液体を接続ラインＬ３に対してより良好に流通させることができる。また、第１の実施形態の如く、接続手段１６を採取口１２に接続させる過程で圧力差形成手段１４及び採取口１２を移動させる構成が不要となり、透析液取出手段９の構成をより簡素化させることができる。
【００６４】
次に、本発明の第３の実施形態に係る透析液取出装置について説明する。
本実施形態に係る透析液取出装置は、第１の実施形態と同様、図１で示す如き血液浄化装置の透析液導入ラインＬ１に接続されたもので、図１０に示すように、透析液導入ラインＬ１（液体の流路）に接続されて当該液体（透析液）を流通させ得る導入口９ａ及び導出口９ｂが形成されるとともに、その流通させた液体を採取可能な採取口１２が形成された透析液取出手段９と、該透析液取出手段９の採取口１２に対して脱着可能とされ、当該採取口１２を開閉し得る開閉手段としてのキャップ１８と、圧力差形成手段としてのベンチュリー形状２０とを具備したものである。なお、第１の実施形態と同様の構成部品には、同一の符号を付し、それらの詳細な説明を省略する。
【００６５】
キャップ１８は、透析液取出手段９の採取口１２に対して脱着可能とされ、当該採取口１２を開閉し得るものであり、外周壁部１３の外周面１３ｅとの間でシールするシール手段１９を具備したものである。より具体的には、シール手段１９は、外周壁面１３の突端側の形状に沿ったキャップ状とされており、当該外周壁面１３の外周面１３ｅと当接してシールし得るシール部１９ａが内側に向かって突出形成されている。
【００６６】
しかして、キャップ１８の内周面に形成されたネジ部１８ａを外周壁部１３のネジ部１３ａに対して螺合させることにより当該キャップ１８を外周壁部１３に取り付けると、シール部１９ａが外周壁部１３の外周面１３ｅに当接してシールすることができるとともに、当該キャップ１８が取り付けられた状態において、導入口９ａから導入された液体を採取口１２の突端１２ａ側に案内する案内路αと、該案内路αで案内された液体を導出口９ｂ側へ排出させる排出路βとを採取口１２にて画成し得るようになっている。
【００６７】
本実施形態によれば、第１の実施形態と同様、透析液取出手段９は、採取口１２の外周を覆う円筒状の外周壁部１３を有するとともに、キャップ１８は、当該外周壁部１３の外周面１３ｅとの間でシールするシール手段１９を具備したので、キャップ１８を採取口１２に取り付けた状態で、案内路αと排出路βとの画成をより確実に行わせることができるとともに、洗浄水又は消毒液の流通をより良好に行わせることができる。特に、本実施形態によれば、シール手段１９が外周壁部１３の外周面１３ｅとの間でシールするものとされているので、洗浄水又は消毒液の流通させる際、外周壁部１３の突端面１３ｃに対する洗浄又は消毒を図ることができる。
【００６８】
さらに、本実施形態においては、導入口９ａから導出口９ｂに向かう液体の流れを絞って圧力を低下させるためのベンチュリー形状２０から成る圧力差形成手段が形成されている。かかるベンチュリー形状２０は、分岐部Ｐから導出口９ｂに向かう流路の一部であって連結路γとの合流部に形成されており、当該ベンチュリー形状２０により、導入口９ａから導入された液体のうち、案内路αに向かって流れる液体の圧力が導出口９ｂに向かって流れる液体の圧力より相対的に大きくなるよう構成されている。
【００６９】
本実施形態によれば、圧力差形成手段は、導入口９ａから導出口９ｂに向かう液体の流れを絞って圧力を低下させるためのベンチュリー形状２０から成るので、導入口９ａから導出口９ｂに向かって流れる液体の圧力を導入口９ａから採取口１２に向かって流れる液体の圧力に対して相対的に小さくすることができ、案内路α及び排出路βに対して確実な洗浄水又は消毒液の流通を図ることができる。
【００７０】
次に、本発明の第４の実施形態に係る透析液取出装置について説明する。
本実施形態に係る透析液取出装置は、第１の実施形態と同様、図１で示す如き血液浄化装置の透析液導入ラインＬ１に接続されたもので、図１１に示すように、透析液導入ラインＬ１（液体の流路）に接続されて当該液体（透析液）を流通させ得る導入口２１ａ及び導出口２１ｂが形成されるとともに、その流通させた液体を採取可能な採取口１２が形成された透析液取出手段２１と、該透析液取出手段２１の採取口１２に対して脱着可能とされ、当該採取口１２を開閉し得る開閉手段としてのキャップ１８と、圧力差形成手段としてのオリフィス２２とを具備したものである。なお、先の実施形態と同様の構成部品には、同一の符号を付し、それらの詳細な説明を省略する。
【００７１】
透析液取出手段２１における分岐部Ｐ近傍の採取口１２側には、案内部材Ｇが配設されている。この案内部材Ｇは、採取口１２と一体成形されたもので、その内部に案内路αに通じる流路が形成されている。なお、案内部材Ｇ内の流路は、第１の実施形態の如く、その径が採取口１２側に向かって次第に小さくなるテーパ面とするようにしてもよい。
【００７２】
ここで、本実施形態においては、導入口２１ａから導出口２１ｂに向かう液体の流れを絞って圧力を低下させるためのオリフィス２２から成る圧力差形成手段が形成されている。かかるオリフィス２２は、分岐部Ｐから導出口２１ｂに向かう流路の一部であって連結路γとの合流部より上流側（すなわち分岐部Ｐ側）に形成されており、当該オリフィス２２により、導入口２１ａから導入された液体のうち、案内路αに向かって流れる液体の圧力が導出口２１ｂに向かって流れる液体の圧力より相対的に大きくなるよう構成されている。
【００７３】
しかるに、本実施形態においては、導入口２１ａ及び導出口２１ｂは、略同一直線上に形成されて成るとともに、その導入口２１ａ及び導出口２１ｂにて構成される流路に対して略９０度の位置に採取口１２が形成されているが、第１の実施形態の如く、透析液取出手段２１における導入口２１ａ及び採取口１２を略同一直線上に形成するようにしてもよい。また、案内部材Ｇと採取口１２とを別個の部品としてもよい。
【００７４】
本実施形態によれば、圧力差形成手段は、導入口２１ａから導出口２１ｂに向かう液体の流れを絞って圧力を低下させるためのオリフィス２２から成るので、案内路αと排出路βとの間に圧力差を設けることができ、案内路α及び排出路βに対して確実な洗浄水又は消毒液の流通を図ることができる。
【００７５】
次に、本発明の第５の実施形態に係る透析液取出装置について説明する。
本実施形態に係る透析液取出装置は、第１の実施形態と同様、図１で示す如き血液浄化装置の透析液導入ラインＬ１に接続されたもので、図１２、１３に示すように、透析液導入ラインＬ１（液体の流路）に接続されて当該液体（透析液）を流通させ得る導入口２３ａ及び導出口２３ｂが形成されるとともに、その流通させた液体を採取可能な採取口１２が形成された透析液取出手段２３と、該透析液取出手段２３の採取口１２に対して脱着可能とされ、当該採取口１２を開閉し得る開閉手段としてのキャップ１８と、圧力差形成手段２５とを具備したものである。なお、先の実施形態と同様の構成部品には、同一の符号を付し、それらの詳細な説明を省略する。
【００７６】
本実施形態に係る圧力差形成手段２５は、第１の実施形態と同様、透析液取出手段２３の分岐部Ｐ近傍に配設され、導入口２３ａから採取口１２に向かって流れる液体の流通路２５ａを有して成るとともに、当該流通路２５ａは、流路の径が採取口１２側（図１２中右側）に向かって次第に小さくなるテーパ面とされている。かかる圧力差形成手段２５は、採取口１２とは別個形成された後、当該採取口１２と連結されており、これら圧力差形成手段２５と採取口１２との連結部は、シール手段２６によりシールが図られている。
【００７７】
圧力差形成手段２５におけるシール部材２３ｃと対向した部位には、被シール部２５ｂが形成されているとともに、圧力差形成手段２５及び採取口１２は、スプリングＳ３により、シール部材２３ｃに対して被シール部２５ｂが離間する方向に常時付勢されている。そして、接続手段１５が採取口１２に接続される際（すなわち、接続手段１５の外周面１５ｂのネジ部１５ｂａが外周壁部１３の内周面に形成されたネジ部１３ｂと螺合する過程で）、図１３に示すように、圧力差形成手段２５及び採取口１２がスプリングＳ３の付勢力に抗して移動し、シール部材２３ｃに対して被シール部２５ｂが当接してシールすることにより、連結路γを遮蔽し得るようになっている。
【００７８】
しかして、接続手段１５が採取口１２に接続された状態において、排出路βを介して液体が外部に流れるのを遮断することとなる。このように、接続手段１５が採取口１２に接続された状態において、排出路βを介して液体が外部に流れるのを遮断するので、採取口１２から接続手段１５を介して液体を採取する際、排出路βから液体が外部に漏れてしまうのを確実に回避させることができ、採取した液体を接続ラインＬ３に対してより良好に流通させることができる。
【００７９】
ここで、本実施形態に係る透析液取出手段２３は、逆止弁２７を具備するものとされている。この逆止弁２７は、圧力差形成手段２５と採取口１２との連結部における流路２４に配設され、採取口１２からの液体の流出を許容するとともに当該採取口１２を介して外部からの液体の流入を遮断するものである。かかる逆止弁２７により、流路２５ａから案内路αに向かう液体の流れを許容するとともに、案内路αから流路２５ａに向かう液体の流れを規制するので、接続手段１５を介して接続ラインＬ３を採取口１２に接続した際、液体の採取を良好に維持するとともに、当該接続ラインＬ３内の液体が採取口１２から流入してしまうのを回避することができる。
【００８０】
次に、本発明の第６の実施形態に係る透析液取出装置について説明する。
本実施形態に係る透析液取出装置は、第１の実施形態と同様、図１で示す如き血液浄化装置の透析液導入ラインＬ１に接続されたもので、図１４〜１６に示すように、透析液取出手段９と、該透析液取出手段９の採取口１２に対して脱着可能とされ、当該採取口１２を開閉し得る開閉手段としてのキャップ１８’と、該キャップ１８’の閉状態を保持し得る保持手段２８とを具備したものである。なお、本実施形態で適用される透析液取出手段９は、第１の実施形態と同一の構成（但し、外周壁部１３のネジ部１３ａは形成されていない）とされるものであるため、詳細な説明を省略する。
【００８１】
保持手段２８は、図１４に示すように、シャフト部材２９と、スプリング３０と、シャフト部材３１とを有して構成されており、当該シャフト部材２９を中心に回転自在とされている。また、シャフト部材２９の基端には、バネ受け２９ａが形成されており、当該バネ受け２９ａと透析液取出手段９との間には、スプリング３０が介装されている。これにより、保持手段２８は、スプリング３０の付勢力により常時、同図中左方向に付勢されている。
【００８２】
キャップ１８’は、シャフト部材３１の先端に支持されるとともに、当該シャフト部材３１を中心に回転自在とされている。すなわち、キャップ１８’は、シャフト部材２９を中心として回動可能とされるとともに、シャフト部材３１を中心として回転可能とされているのである。また、キャップ１８’には、外周壁部１３の外周面との間でシールするための第３の実施形態と同様のシール手段１９が取り付けられている一方、第３の実施形態の如きネジ部１８ａ（外周壁部１３のネジ部１３ａも同様）は形成されていない。
【００８３】
しかして、キャップ１８’が採取口１２を覆った状態（図１４参照）においては、スプリング３０の付勢力によってキャップ１８’が外周壁部１３（採取口１２側）に押圧され、閉状態が保持されるようになっている。また、スプリング３０の付勢力に抗して保持手段２８をキャップ１８’と共に移動（同図中右方向への移動）させると、当該キャップ１８’が外周壁部１３から離間した状態とされ、更にそのキャップ１８’をシャフト部材２９を中心として回動させれば、図１５に示すように、採取口１２を開放させた状態とすることができる。これにより、採取口１２に対して接続手段１５（図５参照）等を接続することができる。なお、図１５の状態からシャフト部材３１を中心としてキャップ１８’を回転させると、図１６に示すように、当該キャップ１８’の向きが反転することとなる。この状態にすれば、シール手段１９の交換やメンテナンス等を容易に行わせることができる。
【００８４】
本実施形態によれば、キャップ１８’による外周壁部１３に対するシールを強固且つ確実に行わせることができるとともに、採取口１２を開状態としたとき、キャップ１８’の紛失等を回避することができる。また、保持手段２８の向き（シャフト部材２９を中心とした回転位置）を検知する検知手段を設けるようにすれば、採取口１２が開状態であるのか閉状態であるのかを検出させることができる。なお、本実施形態に係る透析液取出手段は、第１の実施形態と同様のものとされているが、他の形態の如き構成のものとしてもよい。
【００８５】
次に、本発明の第７の実施形態に係る透析液取出装置について説明する。
本実施形態に係る透析液取出装置は、第１の実施形態と同様、図１で示す如き血液浄化装置の透析液導入ラインＬ１に接続されたもので、図１７、１８に示すように、透析液取出手段９と、該透析液取出手段９の採取口１２に対して脱着可能とされ、当該採取口１２を開閉し得る開閉手段としてのキャップ３２と、該キャップ３２の閉状態を保持し得る係止手段３３とを具備したものである。なお、本実施形態で適用される透析液取出手段９は、第１の実施形態と同一の構成（但し、外周壁部１３のネジ部１３ａは形成されていない）とされるものであるため、詳細な説明を省略する。
【００８６】
キャップ３２は、図１７に示すように、シャフト部材２９と、スプリング３０と、シャフト部材３１とを有して構成されており、当該シャフト部材２９を中心に回動自在とされている。また、シャフト部材２９の基端には、バネ受け２９ａが形成されており、当該バネ受け２９ａと透析液取出手段９との間には、スプリング３０が介装されている。これにより、キャップ３２は、スプリング３０の付勢力により常時、同図中左方向に付勢されている。
【００８７】
さらに、キャップ３２は、シャフト部材３１の先端に支持されるとともに、当該シャフト部材３１を中心に回転自在とされている。すなわち、キャップ３２は、シャフト部材２９を中心として回動可能とされるとともに、シャフト部材３１を中心として回転可能とされているのである。また、キャップ３２には、外周壁部１３の外周面との間でシールするための第３の実施形態と同様のシール手段１９が取り付けられている一方、第３の実施形態の如きネジ部１８ａ（外周壁部１３のネジ部１３ａも同様）は形成されていない。
【００８８】
またさらに、キャップ３２に形成された係止手段３３は、先端に係止爪３３ａが形成されるとともに、揺動軸Ｌ１を中心に回転自在とされており、当該係止爪３３ａを固定側に形成された棒状の被係止部３４に係止させることにより、キャップ３２の閉状態を保持させ得るよう構成されている。なお、係止手段３３は、スプリングＳ４により、係止爪３３ａが被係止部３４に係止する方向に常時付勢されている。
【００８９】
しかして、キャップ３２が採取口１２を覆った状態（図１７参照）においては、係止爪３３ａが被係止部３４に係止するとともに、スプリング３０の付勢力によってキャップ３２が外周壁部１３（採取口１２側）に押圧され、閉状態が保持されるようになっている。また、スプリングＳ４の付勢力に抗して係止手段３３を揺動させ、係止爪３３ａの被係止部３４に対する係止を解除した後、スプリング３０の付勢力に抗してキャップ３２を移動（同図中右方向への移動）させると、当該キャップ３２が外周壁部１３から離間した状態とされ、更にそのキャップ３２をシャフト部材２９を中心として回動させれば、図１８に示すように、採取口１２を開放させた状態とすることができる。これにより、採取口１２に対して接続手段１５（図５参照）等を接続することができる。なお、図１８の状態からシャフト部材３１を中心としてキャップ３２を回転させると、第６の実施形態の如く、当該キャップ３２の向きが反転することとなる。この状態にすれば、シール手段１９の交換やメンテナンス等を容易に行わせることができる。
【００９０】
本実施形態によれば、キャップ３２による外周壁部１３に対するシールを強固且つ確実に行わせることができるとともに、採取口１２を開状態としたとき、キャップ３２の紛失等を回避することができる。また、係止手段３３によりキャップ３２の閉状態を強固に保持し得るので、振動等によってキャップ３２が不用意に揺動し、採取口１２が開放されてしまうのを回避することができる。さらに、第６の実施形態と同様、保持手段２８の向き（シャフト部材２９を中心とした回転位置）を検知する検知手段を設けるようにすれば、採取口１２が開状態であるのか閉状態であるのかを検出させることができる。なお、本実施形態に係る透析液取出手段は、第１の実施形態と同様のものとされているが、他の形態の如き構成のものとしてもよい。
【００９１】
本発明の上記第１〜７の実施形態によれば、案内路及び排出路を介して洗浄水又は消毒液を流通させることができ、開閉手段から別個の流路を延設させることなく、採取口内部の洗浄及び消毒を確実に行わせることができる血液浄化装置（血液透析装置）を提供することができる。さらに、採取口が液体を採取させる機能に加えて案内路と排出路とを画成する機能を兼ね備えるため、別個の画成手段等を不要として構成を簡略化させることができる血液浄化装置（血液透析装置）を提供することができる。
【００９２】
以上、本実施形態について説明したが、本発明はこれらに限定されず、例えば圧力差形成手段を具備しないもの、或いは逆止弁等を具備しないものであってもよい。
【００９３】
さらに、本実施形態が適用される血液浄化装置は、何れの形態のものであってもよく、例えば、複式ポンプ７に代えてチャンバにて透析液を導入又は排出させるもの、ダイアライザ１に代えて他の形態の血液浄化器を具備したもの等としてもよい。またさらに、本実施形態においては、何れも透析装置本体の透析液導入ラインＬ１に配設されているが、当該透析装置本体内の他の流路に配設したものとしてもよい。
【産業上の利用可能性】
【００９４】
開閉手段が取り付けられてシール手段によるシールがなされた状態で、導入口から導入された液体を採取口の突端側に案内する案内路と、該案内路で案内された液体を導出口側へ排出させる排出路とを画成する採取口を具備し、かつ、採取口の内部が案内路とされるとともに、当該採取口の外周面と外周壁部の内周面との間が排出路とされた透析液取出装置であれば、外観形状が異なるもの或いは他の機能が付加されたもの等にも適用することができる。
【符号の説明】
【００９５】
１…ダイアライザ（血液浄化器）
２…動脈側血液回路
３…静脈側血液回路
４…血液ポンプ
５…動脈側エアトラップチャンバ
６…静脈側エアトラップチャンバ
７…複式ポンプ
８…除水ポンプ
９…透析液取出手段
１０…キャップ（開閉手段）
１１…シール手段
１２…採取口
１３…外周壁部
１４…圧力差形成手段
１５…接続手段
１６…接続手段
１７…シール部材
１８、１８’…キャップ
１９…シール手段
２０…ベンチュリー形状
２１…透析液取出手段
２２…オリフィス
２３…透析液取出手段
２４…流路
２５…圧力差形成手段
２６…シール手段
２７…逆止弁
２８…保持手段
２９…シャフト部材
３０…スプリング
３１…シャフト部材
３２…キャップ
３３…係止手段
３４…被係止部
【図１】
0005205496.tif 000002
【図２】
0005205496.tif 000003
【図３】
0005205496.tif 000004
【図４】
0005205496.tif 000005
【図５】
0005205496.tif 000006
【図６】
0005205496.tif 000007
【図７】
0005205496.tif 000008
【図８】
0005205496.tif 000009
【図９】
0005205496.tif 000010
【図１０】
0005205496.tif 000011
【図１１】
0005205496.tif 000012
【図１２】
0005205496.tif 000013
【図１３】
0005205496.tif 000014
【図１４】
0005205496.tif 000015
【図１５】
0005205496.tif 000016
【図１６】
0005205496.tif 000017
【図１７】
0005205496.tif 000018
【図１８】
0005205496.tif 000019